(57)【要約】【課題】積み重ね可能な段ボール製ケースにおいて、ケースの間に保護板を使用することなく作業に手間がかからず、限られた通常の幅の素材から製造できる段ボール製トレーを提供する。【解決手段】矩形の底板１の周辺を囲んで前後の側板２，３と左右の側板４，５によりなる枠が立設されている段ボール製ケースにおいて、対向する前後の側板２，３のそれぞれの上辺に、ケース内側に向かって曲げられて底板支持用棚１０が底板１に平行に連設され、前後の側板２，３のそれぞれの両側に連設されている、左右の側板３，４のそれぞれに接合する接合用フラップ７に設けられた係止用切欠き９に、底板支持用棚１０の両端に設けられた係止用つめ１１が係止されている。【選択図】図１
2015054720.tif 000002
【特許請求の範囲】
【請求項１】
矩形の底板の周辺を囲んで対向する前後の側板と左右の側板によりなる枠が立設されている段ボール製ケースにおいて、
前記前後の側板のそれぞれの上辺に、ケースの内側に曲げられた底板支持用棚が底板に平行に連設され、
前記前後の側板のそれぞれの両側に連設されている、前記左右の側板のそれぞれに接合する接合用フラップに設けられた係止用切欠きに、前記底板支持用棚の両端に設けられた係止用つめが係止されていることを特徴とする段ボール製ケース。
【請求項２】
ケースの四隅に、接合用フラップの上辺が底板支持用棚の上に突出して重ねた上段のケースの先細りの底の移動を防止する移動防止片が形成されていることを特徴とする請求項1に記載の段ボール製ケース。
【発明の詳細な説明】
【技術分野】
【０００１】
本発明は、カップ入りあるいは箱入りなどの商品を複数個詰め、その状態で積み重ねて搬送、陳列可能な段ボール製ケースに関する。
【背景技術】
【０００２】
プリンやゼリー菓子を入れたカップ菓子、箱入り菓子などの商品類を複数個まとめて段ボール製の蓋付きのケースに入れ、このケースを多段に重ねた状態で搬送し、店頭で蓋を開けて展示販売することが知られている（特許文献1参照）。
【０００３】
図３、図４は、従来の商品を複数個詰め、積み重ねて搬送し、店頭で展示販売するのに使用する段ボール製ケースの一例を示すものである。
【０００４】
ケースは、底板２１の周囲の前後左右に前側板２２、後側板２３、右側板２４、左側板２５が連設された段ボール製のブランクを、折り曲げにより起立させて四角形の枠が形成される。
【０００５】
ケースは、底２１を上部の開口より先細りとすることにより、ケースを重ねた際に上段のケースの底が下段のケースの開口内に収まるようになっている。ケースを重ねる際には、ケースに収納された商品を保護するために商品の上に保護板２６が載せられている。
【先行技術文献】
【特許文献】
【０００６】
【特許文献１】特開２００６−１８８２７５号公報
【発明の概要】
【発明が解決しようとする課題】
【０００７】
従来のケースは、積み重ねるためにケース全面を覆う蓋一体型にする場合、限られた紙幅の素材からは製造ができなかったり、特注の素材のためにコスト高となったりする、という問題があった。
【０００８】
保護板を使用する場合には、保護板が別途必要となってコスト高となりまた、手作業で保護板を置くために手間がかかるという問題があった。
【０００９】
そこで、本発明は、積み重ね可能な段ボール製ケースにおいて、ケースの間に保護板を使用しないで作業の手間を省きまた、幅の限られた通常の素材から製造できる段ボール製トレーを提供するものである。
【課題を解決するための手段】
【００１０】
本願の請求項１の発明は、矩形の底板の周辺を囲んで対向する前後の側板と左右の側板によりなる枠が立設されている段ボール製ケースにおいて、前記前後の側板のそれぞれの上辺に、ケースの内側に曲げられた底板支持用棚が底板に平行に連設され、前記前後の側板のそれぞれの両側に連設されている、前記左右の側板のそれぞれに接合する接合用フラップに設けられた係止用切欠きに、前記底板支持用棚の両端に設けられた係止用つめが係止されていることを特徴とする段ボール製ケースである。
【００１１】
本願の請求項２の発明は、ケースの四隅に、接合用フラップの上辺が底板支持用棚の上に突出して重ねた上段のケースの先細りの底の移動を防止する移動防止片が形成されていることを特徴とする請求項1に記載の段ボール製ケースである。
【発明の効果】
【００１２】
本発明は、前後の側板の上辺にケースの内側に曲げられて張り出す底板支持用棚を形成することにより、ケースの全面を覆う蓋や保護板を必要としなくなるので、素材を削減することが可能となるとともに、作業に手間がかからなくなる。
【００１３】
また、組み立て後には、ケースの四隅には、接合用フラップの上辺が底板支持用棚の上に突出して重ねる上段のケースの先細りの底が入り込んで左右の移動を防止することができるので、安定した多段積みの状態で搬送可能となり、また店頭に安定した状態で陳列することが可能となる。
【図面の簡単な説明】
【００１４】
【図１】本発明のケースを展開したブランクの平面図である。
【図２】本発明のケースの斜視図、ケースを重ねた状態を示す斜視図である。
【図３】従来のケースの一例を示す斜視図である。
【図４】従来のケースを重ねる状態を示す斜視図である。
【発明を実施するための形態】
【００１５】
本発明の実施例について図を参照しながら説明する。
【実施例１】
【００１６】
ケースは、上部が解放された直方体に形成されており、ケースを展開した形状の１枚の段ボール製ブランクから組み立てられる。
【００１７】
ブランクは、図１および図２において、底板１の前後左右に前側板２、後側板３、右側板４、左側板５が連設されている。各側板２〜５は折り曲げ線６に沿って折り曲げにより起立させて四角形の枠を形成する。
【００１８】
底板１の前後に折り曲げ線６に沿って折り曲げ可能に設けられている前側板２および後側板３の両側には、組み立て時に左右の側板４，５に接合する接合用フラップ７が折り曲げ線８に沿って内側に折り曲げ可能に連設されている。
【００１９】
前後の側板２．３と各接合用フラップ７の折り曲げ線８は左右の側板４，５の両縁のテーパーに合わせてテーパーが設けられ、組み立て後にケースの底板側が開口側より先細りとなるようになっている。底を先細りとすることにより、図２に示すように、ケースを重ねた際に上段のケースの底が下段のケースの開口内に収まるようになる。
【００２０】
各接合用フラップ７には、外側に切欠かれた係止用切欠き９が形成されている。係止用切欠き９には、後述する底板支持用棚１０の両端の係止用つめ１１が入り込んで係止される。
【００２１】
底板支持用棚１０は前後の側板２．３に折り曲げ線１２に沿ってケースの内側に底板１に平行に折り曲げ可能に連設され、底板支持用棚１０の両端には各接合用フラップ７の係止用切欠き９に係止させる係止用つめ１１が設けられている。
【００２２】
折り曲げ線１２は、両側に突出部１３を形成した凹形に形成され、組み立て後に、突出部１３が底板支持用棚１０より突出して重ねる上段のケースの移動を防止する。
【００２３】
なお、前側板２および後側板３には、必要に応じてケース内の商品を見るための開口１４を形成してもよい。
【００２４】
底板１の左右に折り曲げ線８に沿って折り曲げ可能に右側板４および左側板５が設けられている。右側板４および左側板５の両縁は、組み立て後にケースの底が上方より先細りとなるようにテーパーが設けられ、ケースを重ねた際に上段のケースの底が下段のケースの開口内に収まり、移動しないように移動防止片１７が形成される。
【００２５】
底板１と左右の側板４，５の間の折り曲げ線８にはケースを持ち上げる際に指をかける取手用孔１５が形成されている。取手用孔１５の側板側には持ち易いように内側に曲げる曲げ片１６を設けてもよい。
【００２６】
次に本発明の包装箱の組立について説明する。包装箱の組立は、商品の箱詰めラインで自動的に行われる。
【００２７】
底板１に商品が搬入された後、前後の側板２，３を折り曲げ線６に沿って折り曲げて起立させながら底板支持用棚１０を折り曲げるとともに、接合用フラップ７を内側に折り曲げて、接合用フラップ７の係止用切欠き９内に底板支持用棚１０の係止つめ１１を入れ込んで底板支持用棚を係止する。
【００２８】
次いで左右の側板４，５を折り曲げ線８に沿って折り曲げて起立させ、左右の側板４，５を接合用フラップ７に貼付させることにより、底板１の周囲に枠が形成される。
【００２９】
以上の組み立てにより、前後の側板２，３の上辺にケースの内側に底板支持用棚１０が張り出して重ねる上段のケースが支持されるようになる。
【００３０】
また、組み立て後には、ケースの四隅には、接合用フラップ７の上辺が底板支持用棚１０の上に突出して重ねる上段のケースの先細りの底が入り込んで左右の移動を防止することができるので、安定した多段積みの状態で搬送し、店頭に陳列することが可能となる。
【符号の説明】
【００３１】
１：底板
２：前側板
３：後側板
４：右側板
５：左側板
６：折り曲げ線
７：接合用フラップ
８：折り曲げ線
９：係止用切欠き
１０：底板支持用棚
１１：係止用つめ
１２：折り曲げ線
１３：突出部
１４：開口
１５：取手用孔
１６：曲げ片
１７：移動防止片
２１：底板
２２：前側板
２３：後側板
２４：右側板
２５：左側板
２６：保護板
【図１】
2015054720.tif 000003
【図２】
2015054720.tif 000004
【図３】
2015054720.tif 000005
【図４】
2015054720.tif 000006